(57)【要約】【課題】複数の伝送装置の状態監視を行う監視制御システムであって、複数の伝送システムに対しても一元監視を可能とする。【解決手段】複数の伝送装置１−１〜１−ｎと通信網監視装置４と統合監視装置５とを含み、マスタ設定の伝送装置１−１から他の伝送装置１−２〜１−ｎの状態情報を収集して自装置の状態情報と共に通信網監視装置４に伝送するシステムに於いて、監視情報収集装置６のＬＡＮ−ＩＦ部６−１にマスタ設定伝送装置を接続し、ＬＡＮ−ＩＦ部６−２に通信網監視装置４を接続し、上位−ＩＦ部６−３に統合監視装置５を接続し、監視情報収集装置６は、マスタ設定伝送装置１−１からの状態情報を、監視情報収集装置６のＬＡＮ−ＩＦ部６−１からＬＡＮ−ＩＦ部６−２を介して通信網監視装置４へ伝送し、且つ上位−ＩＦ部６−３から統合監視装置５へ伝送する制御構成を備えている。【選択図】図１
2011035526.tif 000002
【特許請求の範囲】
【請求項１】
相互間で情報伝送可能に接続した複数の伝送装置の中の１台の伝送装置をマスタに設定し、他の伝送装置をスレーブに設定し、前記マスタ設定の伝送装置によりスレーブ設定の伝送装置から収集した状態情報と、前記マスタ設定の伝送装置の状態情報とを、前記マスタ設定の伝送装置から通信網監視装置に送信し、該通信網監視装置により前記複数の伝送装置の状態監視を行う監視制御システムに於いて、
通信網監視装置側インタフェース部とマスタ設定伝送装置側インタフェース部と統合監視装置側インタフェース部とを含み、前記マスタ設定の伝送装置からの状態情報を、前記マスタ設定伝送装置側インタフェース部から前記通信網監視装置側インタフェース部へ転送すると共に、前記統合監視装置側インタフェース部へ転送し、該統合監視装置側インタフェース部から前記統合監視装置へ前記状態情報を転送する制御構成を有する監視情報収集装置を、前記通信網監視装置と前記統合監視装置と前記マスタ設定伝送装置との間に接続した構成を備えたことを特徴とする監視制御システム。
【請求項２】
前記監視情報収集装置の前記マスタ設定伝送装置側インタフェース部のＩＰアドレスを前記通信網監視装置のＩＰアドレスに設定し、前記通信網監視装置側インタフェース部のＩＰアドレスを前記マスタ設定伝送装置のＩＰアドレスに設定した構成を備えたことを特徴とする前記請求項１記載の監視制御システム。
【請求項３】
相互間で情報伝送可能に接続した複数の伝送装置の中の１台を１系マスタに設定し、他の１台を２系マスタに設定し、マスタ設定動作以外の他の伝送装置をスレーブに設定し、前記マスタ設定動作の伝送装置により他の伝送装置の状態情報を収集して、該マスタ設定動作の伝送装置の状態情報と共に通信網監視装置に送信し、該通信網監視装置により前記複数の伝送装置の状態監視を行う監視制御システムに於いて、
通信網監視装置に接続した１系ゲートウェイと２系ゲートウェイと、
１系ゲートウェイ側インタフェース部と、２系ゲートウェイ側インタフェース部と、１系マスタ設定伝送装置側インタフェース部と、２系マスタ設定伝送装置側インタフェース部と、統合監視装置側インタフェース部とを含み、前記１系マスタ設定伝送装置からの状態情報又は前記２系マスタ設定伝送装置からの状態情報を、前記通信網監視装置へ前記ゲートウェイを介して伝送すると共に、前記統合監視装置側インタフェース部を介して統合監視装置へ伝送する制御構成を有する監視情報収集装置を、前記１系及び２系ゲートウェイと前記１系及び２系マスタ設定伝送装置と前記統合監視装置との間に接続した構成を備えたことを特徴とする監視制御システム。
【発明の詳細な説明】
【技術分野】
【０００１】
本発明は、複数の伝送装置の状態情報を統合監視装置により収集して、一元的に監視する監視制御システムに関する。
【背景技術】
【０００２】
複数の伝送装置を伝送路により接続してデータ伝送を行うシステムに於いて、各伝送装置の状態情報を監視装置で収集し、各伝送装置が正常か否かを監視する各種の手段が提案され、且つ実用化されている。例えば、図３に示すように、複数の伝送装置１０１−１〜１０１−ｎを、光リング伝送路１０２により接続した通信網に於いて、それらの伝送装置１０１−１〜１０１−ｎの中の１台、例えば、伝送装置１０１−１をマスタに設定し、他の伝送装置１０１−２〜１０１−ｎをスレーブに設定し、マスタ設定伝送装置１０１−１とネットワーク１０３を介して通信網監視装置１０４を接続し、この通信網監視装置１０４と複数の伝送装置１０１−１〜１０１−ｎにそれぞれＩＰ（Ｉｎｔｅｒｎｅｔ  Ｐｒｏｔｏｃｏｌ）アドレスを付与する。図示の場合、マスタ設定伝送装置１０１−１のＩＰアドレスを、ＡＡＡ．ＢＢＢ．ＣＣＣ．１とし、スレーブ設定伝送装置１０１−２〜１０１−ｎのＩＰアドレスを、ＡＡＡ．ＢＢＢ．ＣＣＣ．２〜ＡＡＡ．ＢＢＢ．ＣＣＣ．ｎとし、通信網監視装置１０４のＩＰアドレスを、ＡＡＡ．ＢＢＢ．ＤＤＤ．１０として、マスタ設定伝送装置１０１−１と各スレーブ設定伝送装置１０１−２〜１０１−ｎとの間で状態情報等を伝送し、且つマスタ設定伝送装置１０１−１とネットワーク１０３を介して通信網監視装置１０４との間で状態情報等の伝送を行う。
【０００３】
前述の通信網監視装置１０４による状態情報収集の手順を（Ｓ１）〜（Ｓ３）として示すもので、先ず、通信網監視装置１０４は、定期的にネットワーク１０３を介してマスタ設定伝送装置１０１−１に対して、スレーブ設定伝送装置１０１−２〜１０１−ｎの状態情報を含む状態情報の要求を行う（Ｓ１）。マスタ設定伝送装置１０１−１は、定期的にスレーブ設定伝送装置１０１−２〜１０１−ｎをＩＰアドレスにより指定して、それぞれの状態情報を要求して収集する（Ｓ２）。マスタ設定伝送装置１０１−１は、通信網監視装置１０４からの監視情報要求に従って、自装置１０１−１の状態情報を含むスレーブ設定伝送装置１０１−２〜１０１−ｎから収集した状態情報を、通信網監視装置１０４へ送信する（Ｓ３）。それにより、通信網監視装置１０４は、ネットワーク１０３を介して接続したマスタ設定伝送装置１０１−１から、光リング伝送路１０２に接続された総ての伝送装置１０１−１〜１０１−ｎの状態情報を収集して、光リング伝送路１０２を介して情報伝送を行うシステムの正常性の監視を行うことができる。
【０００４】
又従来例として、大規模ネットワークを複数の単位ネットワークに分割し、各単位ネットワーク内の伝送装置等を監視する中間監視装置を設け、各中間監視装置に対する上位のネットワーク総合監視装置を設け、このネットワーク総合監視装置から各中間監視装置に対して、それぞれ監視対象の指示や状態情報等の収集周期等を指示し、中間監視装置は、指示された収集周期に従って、指示された監視対象の状態情報を収集して記憶しておき、次の状態情報収集結果が前回と相違する場合は、何らかの障害等による状態変化として、ネットワーク総合監視装置に状態変化を通知するネットワークの監視手段が提案されている（例えば、特許文献１参照）。又移動通信システムに於ける基地局等を構成する複数の子局をそれぞれ接続した複数の親局装置を含み、監視制御装置により監視するシステムに於いて、各親局装置を光伝送路により順次接続し、監視制御装置に接続された親局装置をマスタ装置とし、このマスタ装置に順次接続した複数の親局装置をスレーブ装置とし、マスタ装置から定期的にスレーブ装置に対して障害の有無を問い合わせ、各スレーブ装置は障害の有無の応答情報をマスタ装置へ送出し、マスタ装置から監視制御装置へ障害情報等を通知するシステムが提案されている（例えば、特許文献２参照）。
【先行技術文献】
【特許文献】
【０００５】
【特許文献１】特開平８−３４０３３３号公報
【特許文献２】特開２００７−２８１９９号公報
【発明の概要】
【発明が解決しようとする課題】
【０００６】
各種の通信網の正常性を確保して信頼性の高い情報通信を維持することが必要であり、その為に、通信網が正常であるか否かを監視し、異常発生時には迅速に修復する必要がある。その為に各種の監視制御システムが提案されている。この監視制御システムとして、例えば、前述の図３に示す構成は、伝送装置１０１−１〜１０１−ｎからなる一つの通信システムに対して通信網監視装置１０４により監視するものであり、この通信網監視装置１０４により監視する通信システムが複数個存在する大規模の通信システムの場合、一元化して監視するシステムが要望される。その場合、例えば、図３に示す構成に於いては、ネットワーク１０３又は通信網監視装置１０４に統合監視装置を接続する為の構成を付加し、且つアドレス設定等による相互の通信ルート設定を行うシステム構成を設けることが考えられる。このような監視制御システム構成の場合、統合監視装置との間の通信ルート設定が複雑となり、従って、システム全体の複雑化とコストアップとの問題が生じる欠点がある。
【０００７】
本発明は、前述の従来例の問題点を解決することを目的とするものであり、比較的簡単な構成により、統合監視装置による監視情報収集を行って一元管理を可能とする監視制御システムを提供するものである。
【課題を解決するための手段】
【０００８】
本発明の監視制御システムは、相互間で情報伝送可能に接続した複数の伝送装置の中の１台の伝送装置をマスタに設定し、他の伝送装置をスレーブに設定し、マスタ設定の伝送装置によりスレーブ設定の伝送装置から収集した状態情報と共に、マスタ設定の伝送装置の状態情報を、マスタ設定の伝送装置から通信網監視装置に送信し、この通信網監視装置により複数の伝送装置の状態監視を行う監視制御システムであって、通信網監視装置側インタフェース部とマスタ設定伝送装置側インタフェース部と統合監視装置側インタフェース部とを含み、マスタ設定の伝送装置からの状態情報を、マスタ設定伝送装置側インタフェース部から通信網監視装置側インタフェース部へ転送すると共に、統合監視装置側インタフェース部へ転送し、この統合監視装置側インタフェース部から統合監視装置へ状態情報を転送する制御構成を有する監視情報収集装置を、通信網監視装置と統合監視装置とマスタ設定伝送装置との間に接続した構成を備えている。
【０００９】
監視情報収集装置のマスタ設定伝送装置側インタフェース部のＩＰアドレスを、通信網監視装置のＩＰアドレスに設定し、通信網監視装置側インタフェース部のＩＰアドレスを、マスタ設定伝送装置のＩＰアドレスに設定した構成を備えている。
【００１０】
又相互間で情報伝送可能に接続した複数の伝送装置の中の１台を１系マスタに設定し、他の１台を２系マスタに設定し、マスタ設定動作以外の他の伝送装置をスレーブに設定し、マスタ設定動作の伝送装置により他の伝送装置の状態情報を収集して、マスタ設定動作の伝送装置の状態情報と共に通信網監視装置に送信し、通信網監視装置により複数の伝送装置の状態監視を行う監視制御システムであって、通信網監視装置に接続した１系ゲートウェイと２系ゲートウェイと、１系ゲートウェイ側インタフェース部と、２系ゲートウェイ側インタフェース部と、１系マスタ設定伝送装置側インタフェース部と、２系マスタ設定伝送装置側インタフェース部と、統合監視装置側インタフェース部とを含み、１系マスタ設定伝送装置からの状態情報又は２系マスタ設定伝送装置からの状態情報を、通信網監視装置へゲートウェイを介して伝送すると共に、統合監視装置側インタフェース部を介して統合監視装置へ伝送する制御構成を有する監視情報収集装置を、１系及び２系ゲートウェイと１系及び２系マスタ設定伝送装置と統合監視装置との間に接続した構成を備え、１系障害発生時に２系により状態情報を収集可能とする。
【発明の効果】
【００１１】
複数の伝送装置の中のマスタ設定伝送装置と通信網監視装置との間に監視情報収集装置を接続し、この監視情報収集装置に統合監視装置を接続し、マスタ設定伝送装置から通信網監視装置へ伝送する状態情報を、監視情報収集装置から統合監視装置へ伝送する構成とし、複数の伝送システムに対してもそれぞれ監視情報収集装置を接続し、各監視情報収集装置から統合監視装置へ伝送装置の状態情報を転送し、複数の伝送システムに対して一元的な監視を行うことができる。
【図面の簡単な説明】
【００１２】
【図１】本発明の実施例１の説明図である。
【図２】本発明の実施例２の説明図である。
【図３】従来例の説明図である。
【発明を実施するための形態】
【００１３】
本発明の監視制御システムは、図１を参照して説明すると、相互間で情報伝送可能に接続した複数の伝送装置１−１〜１−ｎの中の１台の伝送装置１−１をマスタに設定し、他の伝送装置１−２〜１−ｎをスレーブに設定し、マスタ設定の伝送装置１−１によりスレーブ設定の伝送装置１−２〜１−ｎから収集した状態情報と共に、マスタ設定の伝送装置１−１の状態情報を、マスタ設定の伝送装置１−１から通信網監視装置４に送信し、この通信網監視装置４により複数の伝送装置１−１〜１−ｎの状態監視を行う監視制御システムであって、通信網監視装置側インタフェース部（ＬＡＮ−ＩＦ部６−２）とマスタ設定伝送装置側インタフェース部（ＬＡＮ−ＩＦ部６−１）と統合監視装置側インタフェース部（上位−ＩＦ部６−３）とを含み、マスタ設定の伝送装置１−１からの状態情報を、マスタ設定伝送装置側インタフェース部（ＬＡＮ−ＩＦ部６−１）から通信網監視装置側インタフェース部（ＬＡＮ−ＩＦ部６−２）へ転送すると共に、統合監視装置側インタフェース部（上位−ＩＦ部６−３）へ転送し、この統合監視装置側インタフェース部（上位−ＩＦ部６−３）から統合監視装置５へ状態情報を転送する制御構成を有する監視情報収集装置６を、通信網監視装置４と統合監視装置５とマスタ設定伝送装置１−１との間に接続した構成を備えている。
【実施例１】
【００１４】
図１は、本発明の実施例１の説明図であり、１−１〜１−ｎは伝送装置、２は光リング伝送路、３はネットワーク、４は通信網監視装置、５は統合監視装置、６は監視情報収集装置、６−１はマスタ設定伝送装置側インタフェース部（ＬＡＮ−ＩＦ部）、６−２は通信網監視装置側インタフェース部（ＬＡＮ−ＩＦ部）、６−３は統合監視装置側インタフェース部（上位−ＩＦ部）を示す。複数の伝送装置１−１〜１−ｎを、光リング伝送路２により接続し、伝送装置１−１をマスタに設定し、他の伝送装置１−２〜１−ｎをスレーブに設定し、マスタ設定伝送装置１−１は、ネットワーク３を介して通信網監視装置４と統合監視装置５との間で通信できるように接続するもので、その為のインタフェース機能を有するＬＡＮ−ＩＦ部６−１，６−２と上位−ＩＦ部６−３とを備えた監視情報収集装置６を設ける。この監視情報収集装置６は、ネットワーク３を介してマスタ設定伝送装置１−１と接続する為のＬＡＮ−ＩＦ部６−１と、通信網監視装置４と接続する為のＬＡＮ−ＩＦ部６−２と、統合監視装置５と接続する為の上位−ＩＦ部６−３とを含む構成を有し、ＬＡＮ−ＩＦ部６−１，６−２間で状態情報や他の制御情報を転送する制御構成と共に、ＬＡＮ−ＩＦ部６−１からＬＡＮ−ＩＦ部６−２を介して通信網監視装置４へ送信する状態情報を、上位−ＩＦ部６−３を介して統合監視装置５に対しても転送する制御構成を有するものである。又マスタ設定伝送装置１−１は、スレーブ設定伝送装置１−２〜１−ｎの状態情報を、通信網監視装置４からの指示に従って、例えば、一定の周期毎に収集し、マスタ設定伝送装置１−１の状態情報を含めて、ネットワーク３及び監視情報収集装置６を介して通信網監視装置４に伝送し、且つ監視情報収集装置を介して統合監視装置５に対しても伝送する。
【００１５】
前述の従来例と同様に、伝送装置１−１〜１−ｎのＩＰアドレスを、それぞれＡＡＡ．ＢＢＢ．ＣＣＣ．１〜ＡＡＡ．ＢＢＢ．ＣＣＣ．ｎとし、通信網監視装置４のＩＰアドレスを、ＡＡＡ．ＢＢＢ．ＤＤＤ．１０とすると、監視情報収集装置６のマスタ設定伝送装置１−１側のインタフェース部のＬＡＮ−ＩＦ部６−１のＩＰアドレスを、通信網監視装置４のＩＰアドレスと同一のＡＡＡ．ＢＢＢ．ＤＤＤ．１０とし、通信網監視装置４側のインタフェース部のＬＡＮ−ＩＦ部６−２のＩＰアドレスを、マスタ設定伝送装置１−１のＩＰアドレスと同一のＡＡＡ．ＢＢＢ．ＣＣＣ．１とする。それにより、マスタ設定伝送装置１−１は、監視情報収集装置６を設けない場合と同様に、通信網監視装置４のＩＰアドレスのＡＡＡ．ＢＢＢ．ＤＤＤ．１０を送信先アドレスとして状態情報を送信する。監視情報収集装置６のＬＡＮ−ＩＦ部６−１は、自ＩＰアドレスと同一の送信先アドレスとした状態情報を受信して、ＬＡＮ−ＩＦ部６−２へ転送し、ＬＡＮ−ＩＦ部６−２は、送信先アドレスをＡＡＡ．ＢＢＢ．ＤＤＤ．１０とした状態情報を通信網監視装置４へ送信する。又ＬＡＮ−ＩＦ部６−１からＬＡＮ−ＩＦ部６−２へ転送する状態情報と同一の状態情報を、上位−ＩＦ部６−３から統合監視装置５へ転送する。上位−ＩＦ部６−３と統合監視装置５との間は直接接続した構成として示しているが、ネットワーク等を介して状態情報等の伝送を行う構成とすることも可能である。
【００１６】
又通信網監視装置４は、マスタ設定伝送装置１−１のＩＰアドレスＡＡＡ．ＢＢＢ．ＣＣＣ．１を送信先アドレスとしてマスタ設定伝送装置１−１に対する制御情報を送信すると、監視情報収集装置６のＬＡＮ−ＩＦ部６−２は自装置のＩＰアドレスを送信先アドレスとした制御情報を受信し、ＬＡＮ−ＩＦ部６−１へ転送する。このＬＡＮ−ＩＦ部６−１は、ＬＡＮ−ＩＦ部６−２から転送された制御情報の送信先アドレスのＡＡＡ．ＢＢＢ．ＣＣＣ．１をそのまま送信先アドレスとした制御情報を、ネットワーク３を介して送信する。マスタ設定伝送装置１−１は、自装置アドレスを送信先アドレスとした通信網監視装置４からの制御情報を受信し、その制御情報の内容に従って、スレーブ設定伝送装置の状態情報収集等の制御を行う。
【００１７】
従って、監視情報収集装置６を、通信網監視装置４とマスタ設定伝送装置１−１との間に接続しても、通信網監視装置４とマスタ設定伝送装置１−１とのアドレス設定変更等の情報伝送制御機能を変更する必要がないから、運用中の短時間に、監視情報収集装置６を接続し、その後に、統合監視装置５を接続して、統合監視装置５に於いて複数の伝送装置の状態情報を収集処理して一元管理を行うことが可能となる。又通信網監視装置４と伝送装置１−１〜１−ｎとをそれぞれ含む複数の伝送システムに対して、統合監視装置５を接続する構成に於いても、伝送システム対応にそれぞれ監視情報収集装置６をマスタ設定伝送装置と通信網監視装置との間に接続し、各監視情報収集装置を介して各通信網監視装置４へ転送する状態情報を、各監視情報収集装置の統合監視装置側インタフェース部（上位−ＩＦ部）から統合監視装置５へ転送する構成とし、複数の伝送システムを統合して統合監視装置５により一元的に管理、監視を行う構成とすることも可能である。又伝送装置１−１〜１−ｎを光リング伝送路２によりリング状に接続した伝送システムのみでなく、各種ネットワーク構成で複数の伝送装置を接続した伝送システムに対しても適用することが可能である。
【実施例２】
【００１８】
図２は、本発明の実施例２の説明図であり、１１−１〜１１−ｎは伝送装置、１２は光リング伝送路、１３はネットワーク、１４は通信網監視装置、１５は統合監視装置、１６−１１，１６−１２は１系のＬＡＮ−ＩＦ部、１６−２１，１６−２２は２系のＬＡＮ−ＩＦ部、１６−３は上位−ＩＦ部（統合監視装置側インタフェース部）、１７−１は１系のゲートウェイ、１７−２は２系のゲートウェイを示し、光リング伝送路１２によってリング状に接続した伝送装置１１−１〜１１−ｎの中の伝送装置１１−１を１系のマスタ、伝送装置１１−２を２系のマスタに設定した場合を示す。又監視情報収集装置１６は、１系用のＬＡＮ−ＩＦ部１６−１１，１６−１２と、２系用のＬＡＮ−ＩＦ部１６−２１，１６−２２とを含み、統合監視装置１５を接続する上位−ＩＦ部１６−３を備え、実線矢印及び点線矢印で示す監視情報や制御情報の転送制御を行う制御構成を含むものである。又１系を現用系とすると、２系は予備系に相当し、１系の障害発生時は、２系に切替えて、状態情報収集を継続することができる。その為に、１系用のゲートウェイ１７−１と２系用のゲートウェイ１７−２とを介して通信網監視装置１４と接続する構成としている。
【００１９】
又伝送装置１１−１〜１１−ｎのＩＰアドレスは、例えば、図１に示す場合と同様に、ＡＡＡ．ＢＢＢ．ＣＣＣ．１〜ＡＡＡ．ＢＢＢ．ＣＣＣ．ｎとし、通信網監視装置１４のＩＰアドレスをＡＡＡ．ＢＢＢ．ＤＤＤ．１０とする。又１系のゲートウェイ１７−１のＩＰアドレスをＡＡＡ．ＢＢＢ．ＤＤＤ．１とし、２系のゲートウェイ１７−２のＩＰアドレスをＡＡＡ．ＢＢＢ．ＤＤＤ．２とし、１系のマスタ設定伝送装置１１−１と接続する監視情報収集装置１６のＬＡＮ−ＩＦ部１６−１２のＩＰアドレスを、１系のゲートウェイ１７−１のＩＰアドレスと同一のＡＡＡ．ＢＢＢ．ＤＤＤ．１とし、２系のマスタ設定伝送装置１１−２と接続する監視情報収集装置１６のＬＡＮ−ＩＦ部１６−２２のＩＰアドレスを、２系のゲートウェイ１７−２のＩＰアドレスと同一のＡＡＡ．ＢＢＢ．ＤＤＤ．２とする。又１系のゲートウェイ１７−１と接続する監視情報収集装置１６の１系のＬＡＮ−ＩＦ部１６−１１のＩＰアドレスを、１系のマスタ設定伝送装置１１−１のＩＰアドレスと同一のＡＡＡ．ＢＢＢ．ＣＣＣ．１とし、２系のゲートウェイ１７−２と接続する監視情報収集装置１６の２系のＬＡＮ−ＩＦ部１６−２１のＩＰアドレスを、２系のマスタ設定伝送装置１１−２のＩＰアドレスと同一のＡＡＡ．ＢＢＢ．ＣＣＣ．２とした場合を示す。
【００２０】
又ＬＡＮ−ＩＦ部１６−１２からＬＡＮ−ＩＦ部１６−１１とゲートウェイ１７−１とを介して通信網監視装置１４へ送信する１系マスタ設定伝送装置１１−１からの状態情報を、上位−ＩＦ部１６−３を介して統合監視装置１５へも転送する制御構成とし、同様に１系障害により２系に切替えた場合は、２系のマスタ設定伝送装置１１−２から監視情報収集装置１６のＬＡＮ−ＩＦ部１６−２２とＬＡＮ−ＩＦ部１６−２１とゲートウェイ１７−２とを介して通信網監視装置１４へ送信する状態情報と同一の状態情報を、上位−ＩＦ部１６−３を介して統合監視装置１５へ転送する制御構成とする。
【００２１】
１系が健全な場合は、通信網監視装置１４と１系マスタ設定伝送装置１１−１との間は、ゲートウェイ１７−１、監視情報収集装置１６、ネットワーク１３を介して各種情報を伝送可能であり、その場合に、１系マスタ設定伝送装置１１−１から送信する状態情報の送信先ＩＰアドレスを、１系のゲートウェイ１７−１のＩＰアドレスＡＡＡ．ＢＢＢ．ＤＤＤ．１とする。従って、１系マスタ設定伝送装置１１−１からの状態情報は、監視情報収集装置１６のＬＡＮ−ＩＦ部１６−１２により受信し、上位−ＩＦ部１６−３を介して統合監視装置１５と、ＬＡＮ−ＩＦ部１６−１１とゲートウェイ１７−１とを介して通信網監視装置１４とに伝送することができる。又通信網監視装置１４からゲートウェイ１７−１を介して１系マスタ設定伝送装置１１−１に対する制御情報等の送信ＩＰアドレスを、監視情報収集装置１６のＬＡＮ−ＩＦ部１６−１１のＩＰアドレスのＡＡＡ．ＢＢＢ．ＣＣＣ．１とする。このＩＰアドレスは、１系マスタ設定伝送装置１１−１のＩＰアドレスであり、従って、１系マスタ設定伝送装置１１−１は、通信網監視装置１４からの制御情報を受信することができる。従って、１系マスタ設定伝送装置１１−１は、監視情報収集装置１６が通信網監視装置１４及び統合監視装置１５との間に接続されていることを意識する必要がなく、通信網監視装置１４との間の状態情報の送信制御処理を行うだけで、複数の伝送装置１１−１〜１１−ｎの状態情報を収集して通信網監視装置１４へ送信することができ、その状態情報を同時に統合監視装置１５へも送信することができる。
【００２２】
又マスタ設定伝送装置１１−１と通信網監視装置１４との間の１系の状態情報収集径路の障害発生時は、２系マスタ設定伝送装置１１−２と通信網監視装置１４との間の２系の状態情報収集径路によって状態情報を伝送する。この１系から２系への切替制御は、既に知られている異常検知手段、例えば、所定の期間に情報伝送が停止している状態等によって検知することが可能であり、１系から２系に切替えて、２系マスタ設定伝送装置１１−２からの状態情報の送信先ＩＰアドレスを、２系のゲートウェイ１７−２のＩＰアドレスのＡＡＡ．ＢＢＢ．ＤＤＤ．２とする。このＩＰアドレスは、監視情報収集装置１６のＬＡＮ−ＩＦ部１６−２２のＩＰアドレスと同一であるから、ＬＡＮ−ＩＦ部１６−２２は、２系マスタ設定伝送装置１１−２からの状態情報を受信し、ＬＡＮ−ＩＦ部１６−２１へ転送して、このＬＡＮ−ＩＦ部１６−２１からゲートウェイ１７−２へ送信し、ゲートウェイ１７−２から通信網監視装置１４へ転送する。又監視情報収集装置１６のＬＡＮ−ＩＦ部１６−２２から上位−ＩＦ部１６−３へも状態情報を転送し、この上位−ＩＦ部１６−３から統合監視装置１５へ転送する。従って、統合監視装置１５は、複数の伝送装置の状態情報を、通信網監視装置１４と同様に収集し、一元的な監視を行うことができる。
【００２３】
又通信網監視装置１４と伝送装置１１−１〜１１−ｎとを含む複数の伝送システムに対して統合監視装置１５を接続して一元的な監視を行う場合、複数の伝送システム対応に、それぞれ監視情報収集装置１６を介在接続し、各監視情報収集装置１６の上位−ＩＦ部を介して統合監視装置１５に対して状態情報を転送する構成とすることができる。その場合、複数の伝送システム対応のマスタ設定伝送装置と通信網監視装置との間で状態情報等の伝送径路が設定されている構成に対して、それぞれマスタ設定伝送装置側のＬＡＮ−ＩＦ部と通信網監視装置側のＬＡＮ−ＩＦ部と統合監視装置側の上位−ＩＦ部とを含む監視装置を接続し、監視装置のインタフェース部のアドレスを、通信網監視装置側はマスタ設定伝送装置と同一とし、マスタ設定伝送装置側は通信網監視装置又はゲートウェイと同一とすることにより、マスタ設定伝送装置及び通信網監視装置又はゲートウェイの設定変更を必要としないことにより、システム運用中でも短時間で監視情報収集装置を介して統合監視装置を接続する構成を実現することが可能である。
【符号の説明】
【００２４】
１−１〜１−ｎ，１１−１〜１１−ｎ  伝送装置
２，１２  光リング伝送路
３，１３  ネットワーク
４，１４  通信網監視装置
５，１５  統合監視装置
６，１６  監視情報収集装置
６−１，６−２，１６−１１，１６−１２，１６−２１，１６−２２  ＬＡＮ−ＩＦ部
６−３，１６−１３  上位−ＩＦ部
１７−１，１７−２  ゲートウェイ
【図１】
2011035526.tif 000003
【図２】
2011035526.tif 000004
【図３】
2011035526.tif 000005